(57)【特許請求の範囲】
【請求項１】
被験者の身体データを入力する入力装置と、体重と両足間又は手足間のインピーダンスを計測する計測装置と、計測した計測データを演算する演算装置と、計測データ、演算値、演算式を記憶させる記憶装置と、計測や演算により求めた被験者の体に関する複数の測定項目に関する測定値を個別に表示する複数の個別表示部を備えた表示装置を備え、上記複数の個別表示部を中心から放射状に設け、各測定項目の測定値を各個別表示部においてそれぞれ上記中心からの距離を表す位置表示として表示する体組成測定機能付き体重計であって、同心円又は同心多角形を複数の放射線により分割して多数のセルを形成すると共に、隣接する放射線間における複数のセルにより放射状セル群を形成し、複数の放射状セル群をそれぞれ上記被験者の体に関する複数の測定項目の測定値を個別に表示するための放射状の個別表示部として、各測定項目の測定値を各個別表示部においてそれぞれ上記中心からの距離を表す位置表示として該当する位置のセル部分を他のセルと異ならせるように表示する体組成測定機能付き体重計。
【請求項２】
複数の測定項目に関する測定値を個別に表示する中心から放射状に設けた複数の個別表示部による表示が、各測定項目についての標準値に対する比較度合いとして表示されるものであることを特徴とする請求項１記載の体組成測定機能付き体重計。
【請求項３】
複数の測定項目に関する測定値を個別に表示する中心から放射状に設けた複数の個別表示部による表示が、各測定項目についての過去のデータに対する比較度合いとして表示されるものであることを特徴とする請求項１記載の体組成測定機能付き体重計。
【請求項４】
表示装置が、上記中心から放射状に設けた複数の個別表示部による表示と、複数の測定値のうち少なくとも１つ以上を数値で表示するものであることを特徴とする請求項１乃至請求項３のいずれか一項に記載の体組成測定機能付き体重計。
【請求項５】
表示装置が、上記中心から放射状に設けた複数の個別表示部による表示と、複数の測定値のうち少なくとも１つ以上を数値で表示すると共に、該測定値の数値による表示と同時に該測定値に対応した標準値を数値で表示するものであることを特徴とする請求項２記載の体組成測定機能付き体重計。
【請求項６】
表示装置が、上記中心から放射状に設けた複数の個別表示部による表示と、複数の測定値のうち少なくとも１つ以上を数値で表示すると共に、該測定値の数値による表示と同時に該測定値に対応した過去のデータを数値で表示するものであることを特徴とする請求項
３記載の体組成測定機能付き体重計。
【発明の詳細な説明】
【技術分野】
【０００１】
本発明は、体重と生体インピーダンスを測定することにより、体重の測定値だけでなく、体脂肪率やＢＭＩ値など、複数の演算結果に基づく測定値を同時に表示できる体組成測定機能付き体重計に関するものである。
【背景技術】
【０００２】
従来から、この種の体重計としては、過去の複数の測定値を記憶装置に記憶させておき、現在の測定値と比較して、その変化の傾向を矢印の方向で表示装置に表示するものが、例えば特許文献１により知られている。また、変化の傾向をグラフで表示するものも特許文献２により知られている。
【０００３】
ところが、上記従来例にあっては、測定した一つのデータの変化傾向だけしか表示することができず、体脂肪率を測定できる体組成測定機能付き体重計においては、各測定値を表示するためには、切換えスイッチにより表示を切換えて一つ一表示する必要があり、複数の測定値の傾向を同時に把握することは非常に困難であった。
【特許文献１】実開平７−８７３１号公報
【特許文献２】特許第３７２２６７８号公報
【発明の開示】
【発明が解決しようとする課題】
【０００４】
本発明は上記の従来の問題点に鑑みて発明したものであって、測定した被験者の体に関する複数種類の測定項目の測定結果を分かりやすい表示により同時に把握して身体状態を全体的に把握でき、また、複数種類の測定項目の測定値をそれぞれの測定項目の標準値又は過去のデータと比較してその傾向を同時に把握することができる体組成測定機能付き体重計を提供することを課題とするものである。
【課題を解決するための手段】
【０００５】
上記課題を解決するために本発明に係る体組成測定機能付き体重計は、被験者の身体データを入力する入力装置１と、体重と両足間又は手足間のインピーダンスを計測する計測装置２と、計測した計測データを演算する演算装置３と、計測データ、演算値、演算式を記憶させる記憶装置４と、計測や演算により求めた被験者の体に関する複数の測定項目に関する測定値を個別に表示する複数の個別表示部５ａ、５ｂ、５ｃ………５ｎを備えた表示装置５を備え、上記複数の個別表示部５ａ、５ｂ，５ｃ………５ｎを中心から放射状に設け、各測定項目の測定値を各個別表示部５ａ、５ｂ、５ｃ………５ｎにおいてそれぞれ上記中心からの距離を表す位置表示として表示する体組成測定機能付き体重計であって、同心円又は同心多角形を複数の放射線により分割して多数のセル６を形成すると共に、隣接する放射線間における複数のセル６により放射状セル群６Ａを形成し、複数の放射状セル群６Ａをそれぞれ上記被験者の体に関する複数の測定項目の測定値を個別に表示するための放射状の個別表示部５ａ、５ｂ、５ｃ………５ｎとして、各測定項目の測定値を各個別表示部５ａ、５ｂ、５ｃ………５ｎにおいてそれぞれ上記中心からの距離を表す位置表示として該当する位置のセル６部分を他のセル６と異ならせるように表示することを特徴とするものである。
【０００６】
このように計測や演算により求めた被験者の体に関する複数の測定項目に関する測定値を個別に表示する複数の個別表示部５ａ、５ｂ、５ｃ………５ｎを備えた表示装置５を備え、上記複数の個別表示部５ａ、５ｂ、５ｃ………５ｎを中心から放射状に設け、各測定項目の測定値を各個別表示部５ａ、５ｂ、５ｃ………５ｎにおいてそれぞれ上記中心からの距離を表す位置表示として表示することで、測定した被験者の体に関する複数種類の測定項目の測定結果を複数の放射状の個別表示部５ａ、５ｂ、５ｃ………５ｎにおける中心からの位置表示という簡単で分かりやすい表示により同時に把握して身体状態を全体的に把握することができる。また、複数の放射状セル群６Ａをそれぞれ被験者の体に関する複数の測定項目の測定値を個別に表示するための放射状の個別表示部５ａ、５ｂ、５ｃ………５ｎとすることで、簡単且つ分かりやすい表示構成で、複数の測定項目の値を中心からの距離表示として表示することができる。
【０００９】
また、複数の測定項目に関する測定値を個別に表示する中心から放射状に設けた複数の個別表示部５ａ、５ｂ、５ｃ………５ｎによる表示が、各測定項目についての標準値に対する比較度合いとして表示されるものであることが好ましい。
【００１０】
このような構成とすることで、被験者の体に対する複数の測定項目の測定値を、各測定項目における標準値に対してそれぞれどのような傾向（例えば標準値に対して高いか、低いかといったような傾向）にあるかを同時に視覚的に把握することができて、一目で身体の状態を標準値との比較でより的確且つ総合的に見ることが可能となる。
【００１１】
また、複数の測定項目に関する測定値を個別に表示する中心から放射状に設けた複数の個別表示部５ａ、５ｂ、５ｃ………５ｎによる表示が、各測定項目についての過去のデータに対する比較度合いとして表示されるものであることが好ましい。
【００１２】
このような構成とすることで、被験者の体に対する複数の測定項目の測定値を、各測定項目における過去のデータに対してそれぞれどのような傾向（例えば標準値に対して高いか、低いかといったような傾向）にあるかを同時に視覚的に把握することができて、一目で身体の状態を過去のデータとの比較でより的確且つ総合的に見ることが可能となる。
【００１３】
また、表示装置５が、上記中心から放射状に設けた複数の個別表示部５ａ、５ｂ、５ｃ………５ｎによる表示と、複数の測定値のうち少なくとも１つ以上を数値で表示するものであることが好ましい。
【００１４】
このような構成とすることで、被験者の体に対する複数項目の測定結果を複数の放射状の個別表示部５ａ、５ｂ、５ｃ………５ｎにおける中心からの位置表示という簡単で分かりやすい表示により一目で把握して身体状態を全体的に把握することができると同時に、数値によっても測定値を具体的に確認できる。
【００１５】
また、表示装置５が、上記中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した標準値を数値で表示するものであることが好ましい。
【００１６】
このような構成とすることで、被験者の体に対する複数項目の測定結果を複数の放射状の個別表示部５ａ、５ｂ、５ｃ………５ｎにおける中心からの位置表示という簡単で分かりやすい表示により一目で把握して身体状態を全体的に把握することができると同時に、数値によっても測定値を標準値と比較できて、測定値が標準値に対して具体的にどれだけ違うか、又は同じかということが認識できる。つまり、一目で身体の状態を視覚的に総合的に見ることができると同時に測定値と標準値との比較が具体的数値で確認できる。
【００１７】
また、表示装置５が、上記中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した過去のデータを数値で表示するものであることが好ましい。
【００１８】
このような構成とすることで、被験者の体に対する複数項目の測定結果を複数の放射状の個別表示部５ａ、５ｂ、５ｃ………５ｎにおける中心からの位置表示という簡単で分かりやすい表示により一目で把握して身体状態を全体的に把握することができると同時に、数値によっても測定値を過去のデータと比較できて、測定値が過去のデータに対して具体的にどれだけ違うか、又は同じかということが認識できる。つまり、一目で身体の状態を視覚的に総合的に見ることができると同時に測定値と過去のデータとの比較が具体的数値で確認できる。
【発明の効果】
【００１９】
本発明は、中心から放射状に設けた各個別表示部においてそれぞれ中心からの距離を表す位置表示として表示するという簡単で分かりやすい表示構成で、体組成測定機能付き体重計において測定した被験者の体に関する複数種類の測定項目の測定結果をそれぞれ表示できて、分かりやすい表示により身体状態を全体的に把握できる。
【００２０】
また、複数種類の測定項目の測定値をそれぞれの測定項目の標準値又は過去のデータと比較してその傾向を同時に把握することができる。
【００２１】
数値表示を併用することで、身体状態の全体的把握と同時に具体的数値による把握が同時にできる。
【００２２】
これらの結果、本発明においては、一目で身体の状態を総合的に見ることが可能となり、簡単な装置で容易に健康状態を把握することができて、日々の健康管理の手助けとなるという利点がある。
【発明を実施するための最良の形態】
【００２３】
以下、本発明を添付図面に示す実施形態に基いて説明する。
【００２４】
図１には本発明の体組成測定機能付き体重計Ａの斜視図が示してあり、図２には体組成測定機能付き体重計Ａの制御ブロック図が示してあり、図３には動作を示すフローチャートが示してある。
【００２５】
体組成測定機能付き体重計Ａは、図２の制御ブロック図に示すように、被験者の身体データを入力する入力装置１と、体重と両足間又は手足間のインピーダンスを計測する計測装置２と、計測した計測データを演算する演算装置３及び計測データや演算値を記憶させる記憶装置４を有する制御部７と、計測や演算により求めた被験者の体に関する複数の測定項目についての各測定値を表示する表示装置５と、切換えスイッチ１８を備えている。
【００２６】
図１に示すように、体組成測定機能付き体重計Ａは被験者が足を乗せるための載置板８と、４隅に脚９を備えた裏板１０とで主体が構成され、裏板１０と載置板８とは３箇所以上で荷重センサ１１を介して連結材により連結してある。載置板８の上部には被験者の生体インピーダンスを計測する電極１２が設けてあり、また載置板８には着脱自在となった手で把持するための電極１２が設けてあり、上記荷重センサ１１や電極１２等により体重と両足間又は手足間のインピーダンスを計測する計測装置２が構成してある。また、演算装置３、記憶装置４を有する制御部７は体組成測定機能付き体重計Ａ内部、例えば、載置板８の内部に設けてある。
【００２７】
図１においては図示を省略しているが、体組成測定機能付き体重計Ａには入力装置１が設けてあり、この入力装置１を用いて被験者の身体的データ、例えば、年齢、性別、身長等を入力するようになっている。
【００２８】
本実施形態においては、記憶装置４には計測装置２で計測した計測データや演算装置３で演算した演算値を記憶するだけでなく、この他に、年齢、性別、身長等に対応した複数の計算式が記憶してあり、入力装置１により年齢、性別、身長等を入力することで、上記複数の計算式の中から入力装置１で入力した被験者に応じた演算のための計算式を選択し、この計算式に基づいて演算装置３により演算を行うようになっている。
【００２９】
すなわち、本実施形態の動作を図３のフローチャートにより説明すると、まず、体組成測定機能付き体重計Ａの電源をオンにし、入力装置１に年齢、性別、身長等の被験者の身体的データを入力する。入力が完了すると測定準備が完了し、被験者は載置板８に乗る。複数の荷重センサ１１は荷重を検知し、電極１２の出力側は交流電流を供給し、入力側は被験者の体内を流れてきた電気の電圧を測定する。荷重センサ１１と電極１２の出力は、演算装置３に入力され、体重と生体インピーダンスが求められる。同時に記憶装置４に記憶された演算式により体脂肪率や体脂肪量、ＢＭＩ等が演算される。なお、記憶装置４に記憶された演算式は、パラメータとして年齢、性別ごとに予め統計的手法によって導きだした相関式を基にしている。このようにして求めた被験者の体に関する複数の測定項目の測定結果をそれぞれ表示装置５に表示するようになっている。
【００３０】
表示装置５には円又は多角形を複数に分割したセル６よりなるセル表示部１４が設けてある。
【００３１】
図４、図８に示す実施形態においては、セル表示部１４は、同心円又は同心多角形を放射状に分割したもので、同心状且つ放射状に分割された多数の扇型をしたセル６に区分けしてある。つまり、同一点を中心とする径の異なる複数の円Ｍ１、Ｍ２、Ｍ３………Ｍｎ（又は多角形）を（又は同心多角形状）を形成し、更に、上記円Ｍ１、Ｍ２、Ｍ３………Ｍｎの中心から放射状に複数本の放射線Ｎ１、Ｎ２、Ｎ３………Ｎｎが形成してあり、隣接する放射線と隣接する円とに囲まれた領域がそれぞれ扇型をしたセル６となっている。
【００３２】
ここで、隣接する放射線間における複数のセル６により放射状セル群６Ａが形成してあり、この放射状セル群６Ａは円の周方向に複数群設けてある。そして、各放射状セル群６Ａがそれぞれ被験者の体に関する種類の異なる測定値を表示する個別表示部５ａ、５ｂ，５ｃ………５ｎとなっており、この複数の放射状セル群６Ａよりなる個別表示部５ａ、５ｂ，５ｃ………５ｎは、例えば、図４、図８に示すように、それぞれ体重、ＢＭＩ、体脂肪率、筋肉量、基礎代謝、内蔵脂肪、皮下脂肪厚、皮下脂肪率等の被験者の体に関する種類の異なる測定値を表示する部分となっている。
【００３３】
また、上記の複数の放射線のうちの一つは図４、図８のように帯状をしていて比較表示部５Ａとなっており、この比較表示部５Ａには図４、図８の実施形態では標準値及び標準値に対して高いか低いかを表示するようになっている。具体的には比較表示部５Ａの放射方向の略中間部分に「標準」と表示し、中心側に近いほうに標準よりも低いことを示す「低」と表示し、「標準」という表示よりも中心と反対側に標準よりも高いことを示す「高」と表示してある。なお、図７のように過去のデータに対して比較する実施形態の場合は、比較表示部５Ａに、過去のデータと同じか、増えているか、減少しているかを表示するようになっている。具体的には図７のように、比較表示部５Ａの放射方向の略中間部分に「同」と表示し、中心側に近いほうに「同」よりも減っていることを示す「減」と表示し、「同」という表示よりも中心と反対側に増えていることを示す「増」と表示してある。
【００３４】
そして、本発明においては、計測装置２による計測データや、該計測データを演算装置３により演算して得た演算値である複数種類の測定値（複数の測定項目の測定結果）を、それぞれ対応する個別表示部５ａ、５ｂ、５ｃ………５ｎである各放射状セル群６Ａにおいて、それぞれ上記中心からの距離を表す位置表示として該当する位置のセル６部分を視覚的に他のセル６と異ならせるように表示するようになっている。セル６における表示としては例えば、該当するセル６を発光させることにより行っている。この場合、放射状の個別表示部５ａ、５ｂ、５ｃ………５ｎを構成する各放射状セル群６Ａの複数のセル６のうち測定値に対応した位置のセル６を標準値に対する比較度合を表すものとして発光させることで表示させるようになっている。
【００３５】
例えば標準値と比較して表示する場合において、被験者の体に関するある測定値を例えば体脂肪率を例として説明すると、下記の表１に示すような体脂肪率を「低」「標準」「高」のような範囲で分けたテーブルが性別、年齢毎に記憶装置４に記憶してあり、被験者の測定値がそのテーブルのどの位置に当てはまるかを比較評価して、複数の個別表示部５ａ、５ｂ、５ｃ………５ｎのうち体脂肪率を表示する個別表示部において表示するものである。実施形態では、体脂肪率は標準か、あるいは標準よりどの程度低いか、あるいは標準よりどの程度高いかを体脂肪率を表示する放射状セル群６Ａにおいて発光させるセル６の数により標準値に対する比較度合いを表すものとして表示するようになっている。
【００３６】
この場合、該当する放射状セル群６Ａにおいて、中心からの距離を表す位置表示として該当する位置のセル６のみを発光表示させてもよいが、図４、図８の実施形態のように、中心からの距離を表す位置表示としての該当する位置のセル６の発光表示に加えて該当するセル６よりも内側（中心側）のすべてのセル６を発光表示するようにしてもよい。
【００３７】
図４、図８の実施形態において体脂肪率を例にとって更に具体的に説明すると、体脂肪率の測定値が下記の表１における体脂肪率の標準よりも低い場合は、体脂肪率を表示する放射状セル群６Ａにおいて比較表示部５Ａの「低」に対応する位置のセル６のみが発光して表示し、体脂肪率の測定値が表１における体脂肪率の標準の場合は、体脂肪率を表示する放射状セル群６Ａにおいて比較表示部５Ａの「低」及び「標準」に対応する位置のセル６が発光して表示し、体脂肪率の測定値が表１における体脂肪率の標準よりも高い場合は、体脂肪率を表示する放射状セル群６Ａにおいて比較表示部５Ａの「低」及び「標準」を越えて「高」に対応する位置のセル６が発光して表示するようになっている。
【００３８】
同様にして、他の体重、ＢＭＩ、筋肉量、基礎代謝、内蔵脂肪、皮下脂肪厚、皮下脂肪率等の被験者の体に関する種類の異なる測定値が、性別、年齢毎に記憶装置４に記憶してある各測定項目に関して「低」「標準」「高」のような範囲で分けた下記の表１の体脂肪率の場合と同等の各側愛知項目毎のテーブルのどの位置に当てはまるか比較評価し、それぞれ対応する個別表示部５ａ、５ｂ、５ｃ………５ｎである各放射状セル群６Ａにおいて測定値に対応した数のセル６を標準値に対する比較度合を表すものとして発光して表示するようになっている。
【００３９】
【表１】
0004710718.tif 000002
【００４０】
したがって、表示装置５におけるセル表示部１４を見ることで、被験者の体に対する複数種類の測定値を、標準値に対してそれぞれどのような傾向（例えば標準値に対して高いか、低いかといったような傾向）にあるかを同時に視覚的に把握することができて、一目で身体の状態を総合的に見ることが可能となって健康管理に役に立つ。
【００４１】
上記例ではセル表示部１４は、同心円又は同心多角形を放射状に分割したもので、同心状且つ放射状に分割された多数の扇型をしたセル６に区分けした例で説明したが、同心楕円形のように同心円、同心多角形に近い形状のものであっても、中心から外側に向かって分割され且つ放射線により周方向にも分割されており、測定値が標準に対してどこに位置するかを表現できれば特に支障はない。また、複数の個別表示部を中心から放射状に設け、各測定項目の測定値を各個別表示部においてそれぞれ上記中心からの距離を表す位置表示として表示するに当って、各測定項目の測定値を各個別表示部においてそれぞれ上記中心からの距離を表す表示として、中心から測定値に対応した距離だけ離れた位置に「点」あるいは○形状や△形状等の任意の図形あついはその他の表示形態により表示してもよい。
【００４２】
表示装置５には図４、図８に示すように上記セル表示部１４に加えて複数の測定値のうち少なくとも１つ以上を数値で表示する数値表示部１５が設けてあり、この数値表示部１５には数字により表示する測定値に対応した測定項目の名称を表示する名称表示部１６が併設してある。図４、図８には表示の一例として、名称表示部１６に「体重」と表示し、数値表示部１５に「５３．４ｋｇ」と表示し、被験者の体重が５３．４ｋｇであることが表示してある。この数値表示部１５においては特定の測定項目の名称及びこれに対応する測定値を数値で表示するようにしてもよいが、測定した複数種類の測定項目の名称及びこれに対応する測定値の数字表示を順番に自動的に表示するようにしてもよく、あるいは、切換えスイッチ１８を設けて、切換えスイッチ１８による切換え操作により、測定した複数種類の測定項目の名称及びこれに対応する測定値の数字表示を順番に切り替えて表示するようにしてもよい。
【００４３】
このように表示装置５が、同心円又は同心多角形を放射状に分割したセル６による表示と、複数の測定値のうち少なくとも１つ以上を数値で表示することで、被験者の体に対する複数種類の測定値を、標準値に対してそれぞれどのような傾向にあるかを同時に視覚的に把握することができると同時に、測定値を具体的数値によって知ることができる。
【００４４】
本発明においては、切換えスイッチ１８として上記の数値表示部１５における表示切替だけでなく、更にセル表示部１４による表示切替を行うことができるようにし、セル表示部１４における表示を図４のような上記複数の測定項目の測定結果を同時に表示するモードから、図５のように被験者のバランス表示モードに切り替えて被験者のバランス表示を行うようにしてもよい。このバランス表示とは、本発明の体組成測定機能付き体重計Ａの載置板８の所定位置に被験者が足を乗せて測定している際における被験者の重心位置の表示のことであり、載置板８の所定位置に被験者が足を乗せた場合に複数の荷重センサ１１で計測される計測値に基づいて演算装置３により被験者の重心位置を求め、重心位置が正常の場合を上記セル表示部１４における中心であると規定し、測定した重心位置が上記中心に対してどの方向にどれだけの距離位置がずれているかを表示するに当って該当する位置のセルを表示するようになっている。これにより、被験者のバランス表示が共通のセル表示部１４を共用してできることになる。
【００４５】
なお、上記実施形態では体組成測定機能付き体重計Ａにおける測定項目の一つとして被験者の重心位置の測定を行い、切換えスイッチ１８によりセル表示部１４における表示を切換えて「バランス」表示として表示することができるようにした例を示しているが、必ずしもこれにのみ限定されず、本発明においては被験者の重心位置の測定をしない（つまり「バランス」の切換え表示を行わない）場合であってもよく、この場合は、荷重センサ１１は１つであっても支障がない。
【００４６】
次に、本発明の他の実施形態につき説明する。前述の実施形態ではセル６による測定値の表示をあらかじめ設定してある標準値に対する比較度合を表すものとして表示した例で説明したが、本実施形態ではセル６による測定値の表示をあらかじめ設定してある過去の測定値に対する比較度合を表すものとして表示するようになっている。
【００４７】
すなわち、入力装置１により入力された被験者の身体データにより特定される特定被験者（例えば個人番号１とする）の体重、ＢＭＩ、体脂肪率、筋肉量、基礎代謝、内蔵脂肪、皮下脂肪厚、皮下脂肪率等の被験者の体に関する複数の測定項目の過去の測定値が記憶装置４に記憶してある。そして、記憶装置４には特定被験者毎に、各測定項目毎に過去のある特定の１回の測定値（例えば１週間前の測定値）や過去のある期間又は過去の全期間の測定値の平均値を算出して上記過去の１回の測定値（該測定値に近い値も含む）又は過去の平均値（平均値に近い値を含む）を「同」とすると共に、これよりも低いものを「減」、高いものを「増」というような範囲に分けたテーブルを設けてあり、新たに、測定した測定値が、該当する特定被験者に対応した過去のデータのテーブルにおける「減」「同」「増」の範囲のうちどの位置に当てはまるか比較評価し、それぞれ対応する個別表示部５ａ、５ｂ、５ｃ………５ｎである各放射状セル群６Ａにおいて測定値に対応した数のセル６を過去のデータに対する比較度合を表すものとして発光表示する。
【００４８】
これにより、本実施形態では、被験者の体に対する複数の測定項目の測定値を、各測定項目における過去のデータに対してそれぞれどのような傾向（例えば同じか、増えているか、減っているかといったような傾向）にあるかを同時に視覚的に把握することができて、一目で身体の状態を過去のデータとの比較でより的確且つ総合的に見ることが可能となる。
【００４９】
上記の点以外の本実施形態における他の構成は、前述のセル６による測定値の表示をあらかじめ設定してある標準値に対する比較度合を表すものとして表示する例と同じなので、共通の構成、作用の説明は省略する。
【００５０】
次に、本発明の更に他の実施形態につき図６に基づいて説明する。本実施形態においては、表示装置５が、上記中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した標準値を数値で表示するようになっている。
【００５１】
すなわち、表示装置５には図６に示すように上記セル表示部１４に加えて複数の測定値のうち少なくとも１つ以上を数値で表示する数値表示部１５が設けてあり、この数値表示部１５には数字により表示する測定値に対応した測定項目の名称を表示する名称表示部１６を併設すると共に、更に、これに加えて、数値表示部１５で表示する該当する測定項目における標準値を数値で表示する比較用数値表示部１５’と、増減表示部１７が設けてある。図６には表示の一例として、名称表示部１６に「体重」と表示し、数値表示部１５に現在の測定値である「５３．４ｋｇ」と表示し、更に、該当する被験者の年齢、性別、身長に対応した平均体重が「５０ｋｇ」と表示し、増減表示部１７において現在の測定値が平均値に対して「高」又は「低」のいずれであるかが文字や記号により発光表示される（実施形態では点滅表示される）。これにより、例えば体重という測定項目につき現在の体重が平均体重よりも３．４ｋｇ高いことが分かるようになっている。この数値表示部１５、比較用数値表示部１５’においては特定の測定項目の名称及びこれに対応する測定値数値と標準数値を表示するようにしてもよいが、測定した複数種類の測定項目の名称及びこれに対応する測定値の数字表示及び標準値の数値表示を順番に自動的に表示するようにしてもよく、あるいは、切換えスイッチ１８を設けて、切換えスイッチ１８による切換え操作により、測定した複数種類の測定項目の名称及びこれに対応する測定値の数字表示及び標準値の数値表示を順番に切り替えて表示するようにしてもよい。
【００５２】
本実施形態においては、被験者の体に対する複数項目の測定結果を複数の放射状の個別表示部５ａ、５ｂ、５ｃ………５ｎにおける中心からの位置表示という簡単で分かりやすい表示により一目で把握して身体状態を全体的に把握することができることに加えて、同時に、平均値との比較を数値により具体的に確認できる。
【００５３】
本実施形態の他の構成、作用は前述の図４の実施形態と同じなので、重複する説明は省略する。
【００５４】
次に、本発明の更に他の実施形態につき図７に基づいて説明する。本実施形態においては、表示装置５が、上記中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した過去のデータを数値で表示するようになっている。
【００５５】
すなわち、表示装置５には図７に示すように上記セル表示部１４に加えて複数の測定値のうち少なくとも１つ以上を数値で表示する数値表示部１５が設けてあり、この数値表示部１５には数字により表示する測定値に対応した測定項目の名称を表示する名称表示部１６と併設すると共に、更に、これに加えて、数値表示部１５で表示する該当する測定項目における過去のデータを数値で表示する比較用数値表示部１５’と増減表示部１７が設けてある。図７には表示の一例として、名称表示部１６に「体脂肪率」と表示し、数値表示部１５に現在の測定値である「１８．４％」と表示し、更に、該当する被験者（例えば個人番号１）の過去（一週間前）のデータを「１７．４％」と表示し、増減表示部１７において現在の測定値が過去のデータに対して「増」又は「減」のいずれであるかが文字や記号により発光表示される（実施形態では点滅表示される）。これにより、例えば体脂肪率という測定項目につき現在の体脂肪率が過去（一週間前）に比べて、１％高いことが分かるようになっている。この数値表示部１５、比較用数値表示部１５’においては特定の測定項目の名称及びこれに対応する測定値数値と過去のデータを表示するようにしてもよいが、測定した複数種類の測定項目の名称及びこれに対応する測定値の数字表示及び過去のデータの数値表示を順番に自動的に表示するようにしてもよく、あるいは、切換えスイッチ１８を設けて、切換えスイッチ１８による切換え操作により、測定した複数種類の測定項目の名称及びこれに対応する測定値の数字表示及び過去のデータの数値表示を順番に切り替えて表示するようにしてもよい。
【００５６】
本実施形態においては、被験者の体に対する複数項目の測定結果を複数の放射状の個別表示部５ａ、５ｂ、５ｃ………５ｎにおける中心からの位置表示という簡単で分かりやすい表示により一目で把握して身体状態を全体的に把握することができることに加えて、同時に、過去のデータとの比較を数値により具体的比較で確認できる。
【００５７】
本実施形態の他の構成、作用は前述の過去のデータと比較表示する実施形態と同じなので、重複する説明は省略する。
【００５８】
ところで、表示装置５における表示として、図６に示す中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した標準値を数値で表示する表示モードと、中心から放射状に設けた複数の個別表示部５ａ、５ｂ、５ｃ………５ｎによる表示と、複数の測定値のうち少なくとも１つ以上を数値で表示すると共に、該測定値の数値による表示と同時に該測定値に対応した過去のデータを数値で表示する表示モードとを順番に切換え表示するようにしてもよく、この表示モードの切換えは自動的に順番に行われるようにしてもよく、あるいは、切換えスイッチ１８による切換え操作により、上記表示モードを順番に切り替えて表示するようにしてもよい。
【００５９】
また、上記標準との比較、過去のデータとの比較を切り替えて表示するものにおいて、比較表示部５Ａを左右に分け、左右のうち一方側の放射方向の略中間部分に「標準」、中心側に近いほうに「低」、「標準」という表示よりも中心と反対側に「高」というような表示が可能となった部分を設け、また、左右のうち他方側の放射状の略中間部分に「同」、中心側に近いほうに「減」、「同」という表示よりも中心と反対側に「増」というような表示が可能となった部分を設け、標準と比較する場合と、過去のデータを比較する場合とで、比較表示部５Ａの左右のいずれか一方側を発光表示するようにしてもよい。
【００６０】
なお、上記いずれの実施形態においても、セルによる測定値の表示を行うに当って発光により表示する例を示したが、発光による表示において、点滅発光表示を採用してもよい。また、該当するセルの発光表示以外に色を変化させる等の表示切替等によってセルによる測定値の表示を行うようにしてもよい。
【図面の簡単な説明】
【００６１】
【図１】本発明の体組成測定機能付き体重計の一実施形態の全体斜視図である。
【図２】同上の制御ブロック図である。
【図３】同上のフローチャートである。
【図４】同上の表示装置の一実施形態を示す平面図である。
【図５】同上のバランス表示の例を示す平面図である。
【図６】本発明の他の実施形態の平面図である。
【図７】本発明の更に他の実施形態の平面図である。
【図８】本発明の更に他の実施形態の平面図である。
【符号の説明】
【００６２】
１  入力装置
２  計測装置
３  演算装置
４  記憶装置
５ａ  個別表示部
５ｂ  個別表示部
５ｃ  個別表示部
６  セル
６Ａ  放射状セル群
【図１】
0004710718.tif 000003
【図２】
0004710718.tif 000004
【図３】
0004710718.tif 000005
【図４】
0004710718.tif 000006
【図５】
0004710718.tif 000007
【図６】
0004710718.tif 000008
【図７】
0004710718.tif 000009
【図８】
0004710718.tif 000010